(57)【要約】【課題】無線通信装置間で行っている通信を他の無線通信装置がモニタしている状況で、伝送モードが切り替わっても継続してモニタ可能とする。【解決手段】伝送モード選択部４０で選択された伝送モードに対応した同期語を、同期語付加部５２で伝送モード選択部４０から出力される伝送信号のフレーム先頭に付加し、変調部５３で変調して相手先の無線通信装置に無線伝送する。相手側では、無線伝送される信号を受信すると、この受信信号を復調する際に、フレーム先頭の同期語を検出し、この同期語から伝送モードを判別して、伝送モード選択部４０のモード選択を切替制御するようにし、第１及び第２の無線通信装置Ｕ１，Ｕ２間の伝送モードが切り替わっても、第２の装置Ｕ２と同じく第３の装置Ｕ３でも、切り替わった後の受信信号から同期語を自動的に検出してモード判別を行い、自動的にモード切替制御が行われるようにする。【選択図】図２
2009077096.tif 000002
【特許請求の範囲】
【請求項１】
複数の音声・データ無線通信装置のいずれかの装置間で音声信号とデータ信号とを選択的に無線伝送する際に、その無線伝送の内容を他の音声・データ無線通信装置でモニタする音声・データ無線通信システムにおいて、
前記複数の音声・データ無線通信装置各々は、
前記音声信号の伝送モードと前記データ信号の伝送モードとを備え、選択指定される伝送モードに切替設定する伝送モード選択部と、
前記音声信号、データ信号それぞれの伝送モード別に用意され、前記伝送信号のフレーム先頭を示す同期語を記憶する記憶部と、
前記記憶部から前記選択指定の伝送モードに対応する同期語を読み出して前記伝送モード選択部で選択されるモードの伝送信号のフレーム先頭に付加する同期語付加部と、
前記同期語がフレーム先頭に付加された伝送信号を前記無線通信に適した変調信号に変調する変調部と、
前記変調信号を前記無線信号として送信し、かつ、前記他の無線通信装置からの無線信号を受信する無線通信部と、
前記無線通信部で受信された伝送信号を復調する復調部と、
前記復調部の復調時にフレーム先頭の同期語を検出し、この同期語から伝送モードを判別し、その判別結果に基づいて前記伝送モード選択部のモード選択を切替制御する制御部と
を具備することを特徴とする音声・データ無線通信システム。
【請求項２】
複数の音声・データ無線通信装置のいずれかの装置間で音声信号とデータ信号とを選択的に無線伝送する際に、その無線伝送の内容を他の音声・データ無線通信装置でモニタするシステムに用いられる前記音声・データ無線通信装置において、
前記音声信号の伝送モードと前記データ信号の伝送モードとを備え、選択指定される伝送モードに切替設定する伝送モード選択部と、
前記音声信号、データ信号それぞれの伝送モード別に用意され、伝送信号のフレームの先頭を示す同期語を記憶する記憶部と、
前記記憶部から前記選択指定の伝送モードに対応する同期語を読み出して前記伝送モード選択部で選択されるモードの伝送信号のフレーム先頭に付加する同期語付加部と、
前記同期語がフレーム先頭に付加された伝送信号を前記無線通信に適した変調信号に変調する変調部と、
前記変調信号を前記無線信号として送信し、かつ、前記他の無線通信装置からの無線信号を受信する無線通信部と、
前記無線通信部で受信された伝送信号を復調する復調部と、
前記復調部の復調時にフレーム先頭の同期語を検出し、この同期語から伝送モードを判別し、その判別結果に基づいて前記伝送モード選択部のモード選択を切替制御する制御部と
を具備することを特徴とする音声・データ無線通信装置。
【発明の詳細な説明】
【技術分野】
【０００１】
本発明は、例えば衛星回線により複数の局間で無線通信を行う音声・データ無線通信システムと、この通信システムに用いられる音声・データ無線通信装置に関する。
【背景技術】
【０００２】
現在、実用化されている無線通信システムの１つとして、標準規格ＡＲＩＢ  ＳＴＤ−Ｔ６１（Association of Radio Industries and Businesses-T61）で定められているＳＣＰＣ（Single Channel Per Carrier）方式の無線通信システムがある。このＳＣＰＣ方式の無線通信システムは、１つの無線キャリアが１つの通信チャンネルに対応し、単信方式のプレストーク通信を基本とする比較的簡易なシステムであり、放送局間の音声信号、データ信号の伝送に利用されている。
【０００３】
ここで、衛星回線にて、ＳＣＰＣ方式により無線通信を行う場合、送信側及び受信側両方の無線通信装置における変調方式及び、通信周波数等を同じ設定にすることで、１：１の通信が可能となる。この方式では、実際に通信を行う無線通信装置以外の通信装置でも、その変調方式及び通信周波数等を通信中の設定と同じにすると、通信内容をモニタすることが可能である。そこで、既存の衛星放送システムにあっては、例えば２つのローカル放送局間で音声・データの無線通信が行われている場合に、キーとなる放送局がその無線通信の内容をモニタすることができるようになされている。
【０００４】
ところで、上記無線通信システムにおいて、音声／データそれぞれの通信を同じ変調方式及び通信周波数で行うものとした音声・データ無線通信装置が利用されている。この無線通信装置は、送信側と受信側のそれぞれに配置し、互いに通信を行う際に音声伝送モードとデータ伝送モードとを選択的に切り替えて使用する。この無線通信装置は、１組の無線通信装置で音声通信とデータ通信とができる利点がある。
【０００５】
しかしながら、上記のような従来の音声・データ無線通信システムでは、１：１の場合には問題とならないが、１対多の場合では、以下のような問題が生じている。すなわち、複数の放送局にそれぞれ音声・データ無線通信装置を配置し、任意の局間で音声信号の無線通信が行われているとする。このとき、他の局がその無線内容をモニタしている状態で、通信を行っている局間でデータ信号の伝送モードへの切替制御があると、他の局では伝送モードの切替を判別することができず、データ信号を音声として復調してしまうため、雑音となって聞こえるという問題点がある。
【０００６】
なお、受信した信号を検波することにより受信ビット系列を抽出し、その受信ビット系列においてフレームタイミングを検出することにより、正しい受信情報を抽出する方法が提案されている（例えば、特許文献１参照。）。
【特許文献１】特開平９−２４７１１４号公報
【発明の開示】
【発明が解決しようとする課題】
【０００７】
以上のように、従来から、一対の音声・データ無線通信装置間で伝送される音声信号を他の音声・データ通信用無線通信装置がモニタしている時に、伝送モードが音声伝送モードからデータ伝送モードに切り替えられると、他の無線通信装置ではそのデータ伝送モード送信されたデータ信号を音声として復調してしまうため、雑音となって聞こえてしまうという問題があった。
【０００８】
そこで、本発明の目的は、無線通信装置間で行っている通信を他の無線通信装置がモニタしている状況で、音声信号をモニタしている最中に伝送モードが切り替わっても、データ信号の誤復調による雑音の発生を防止することが可能な音声・データ無線通信システム及び音声・データ無線通信装置を提供することにある。
【課題を解決するための手段】
【０００９】
上記目的を達成するため、本発明は、複数の音声・データ無線通信装置のいずれかの装置間で音声信号とデータ信号とを選択的に無線伝送する際に、その無線伝送の内容を他の音声・データ無線通信装置でモニタする音声・データ無線通信システムにおいて、前記複数の音声・データ無線通信装置各々は、前記音声信号の伝送モードと前記データ信号の伝送モードとを備え、選択指定される伝送モードに切替設定する伝送モード選択部と、前記音声信号、データ信号それぞれの伝送モード別に用意され、前記伝送信号のフレーム先頭を示す同期語を記憶する記憶部と、前記記憶部から前記選択指定の伝送モードに対応する同期語を読み出して前記伝送モード選択部で選択されるモードの伝送信号のフレーム先頭に付加する同期語付加部と、前記同期語がフレーム先頭に付加された伝送信号を前記無線通信に適した変調信号に変調する変調部と、前記変調信号を前記無線信号として送信し、かつ、前記他の無線通信装置からの無線信号を受信する無線通信部と、前記無線通信部で受信された伝送信号を復調する復調部と、前記復調部の復調時にフレーム先頭の同期語を検出し、この同期語から伝送モードを判別し、その判別結果に基づいて前記伝送モード選択部のモード選択を切替制御する制御部とを具備することを特徴とする。
【００１０】
また、複数の音声・データ無線通信装置のいずれかの装置間で音声信号とデータ信号とを選択的に無線伝送する際に、その無線伝送の内容を他の音声・データ無線通信装置でモニタするシステムに用いられる前記音声・データ無線通信装置において、前記音声信号の伝送モードと前記データ信号の伝送モードとを備え、選択指定される伝送モードに切替設定する伝送モード選択部と、前記音声信号、データ信号それぞれの伝送モード別に用意され、伝送信号のフレームの先頭を示す同期語を記憶する記憶部と、前記記憶部から前記選択指定の伝送モードに対応する同期語を読み出して前記伝送モード選択部で選択されるモードの伝送信号のフレーム先頭に付加する同期語付加部と、前記同期語がフレーム先頭に付加された伝送信号を前記無線通信に適した変調信号に変調する変調部と、前記変調信号を前記無線信号として送信し、かつ、前記他の無線通信装置からの無線信号を受信する無線通信部と、前記無線通信部で受信された伝送信号を復調する復調部と、前記復調部の復調時にフレーム先頭の同期語を検出し、この同期語から伝送モードを判別し、その判別結果に基づいて前記伝送モード選択部のモード選択を切替制御する制御部とを具備することを特徴とする。
【００１１】
上記構成による音声・データ無線通信システム及び音声・データ無線通信装置では、伝送モード選択部で選択された伝送モードに対応した同期語を、付加部で伝送モード選択部から出力される伝送信号のフレーム先頭に付加し、変調部で変調して相手先の無線通信装置に無線伝送する。相手側では、無線伝送される信号を受信すると、この受信信号を復調する際に、フレーム先頭の同期語を検出し、この同期語から伝送モードを判別して、伝送モード選択部のモード選択を切替制御する。これにより、無線通信装置間で行っている通信を他の無線通信装置がモニタしている状況で、伝送信号をモニタしている最中に、実際に通信を行っている無線通信装置間の伝送モードが切り替わっても、切り替わった後の受信信号から同期語を自動的に検出してモード判別を行う。つまり、自動的にモード切替制御が行われるため、データ信号を音声として復調せず、雑音が生じることがない。
【発明の効果】
【００１２】
この発明によれば、無線通信装置間で行っている通信を他の無線通信装置がモニタしている状況で、伝送信号をモニタしている最中に伝送モードが切り替わっても、雑音が生じない音声・データ無線通信システム及び音声・データ無線通信装置を提供することができる。
【発明を実施するための最良の形態】
【００１３】
以下、図面を参照しながら本発明の実施の形態について詳細に説明する。
【００１４】
図１は、本発明の一実施形態に係る音声・データ無線通信システムの機能構成を示すブロック図である。図１に示す音声・データ無線通信システムにおいて、音声・データ無線通信装置Ｕ１，Ｕ２，Ｕ３は、互いに同一の機能を有する装置であり、第１の音声・データ通信用無線通信装置Ｕ１から送信されるＳＣＰＣ方式の無線信号を、衛星Ｐ１の中継回線を介して、第２の音声・データ無線通信装置Ｕ２で受信し、同じく衛星Ｐ１の中継回線を介して、第３の音声・データ無線通信装置Ｕ３がこれをモニタ受信する場合を想定している。このとき、第１乃至第３の音声・データ無線通信装置Ｕ１，Ｕ２，Ｕ３における変調方式及び通信周波数はそれぞれ同じ設定である。以下、第１乃至第３の音声・データ無線通信装置Ｕ１，Ｕ２，Ｕ３は同構成であるため、第１の音声・データ無線通信装置Ｕ１についてのみその構成を説明する。
【００１５】
図２は、本実施形態に係る音声・データ無線通信装置Ｕ１の機能構成を示すブロック図である。なお、以下では、装置から無線信号を送信する際の処理を下り処理とし、無線信号を受信する際の処理を上り処理として説明する。
【００１６】
図２に示す音声・データ無線通信装置Ｕ１は、ＦＡＸ等の音声帯域のデータの送受信処理を行うデータ機器１０と、音声による通話を行うためのマイク／スピーカー２０と、音声信号について音声コーデックの変換を行う音声コーデック３０と、ユーザの音声／データ伝送モードの選択指定に応じてデータ機器１０によるデータ伝送モードと音声コーデックによる音声伝送モードの切替設定を行う伝送モード選択部４０と、選択されたモードの伝送信号について変調処理、復調処理を行う変復調部５０と、変復調部５０から出力される変調信号を相手先に無線で送信し、相手先からの無線信号を受信して変復調部５０へ出力する通信無線通信部６０とを備える。
【００１７】
ここで、上記データ機器１０は、下り処理では、ファックス等のデータ信号を伝送モード選択部４０に出力する。また、上り処理では、データ信号をファクス等の形で外部に出力し、音声・データ通信用無線通信装置Ｕ１のユーザに表示する。
【００１８】
マイク／スピーカー２０は、下り処理では、マイク音声入力をアナログ音声信号に変換して音声コーデック３０に出力する。また、上り処理では、アナログ音声信号をスピーカーで拡声してユーザに伝える。
【００１９】
音声コーデック３０は、音声信号の圧縮／伸張及び、アナログ／デジタル変換を行う。これにより、下り処理では、マイク／スピーカー２０からのアナログ音声信号をデジタル化したのち圧縮して伝送モード選択部４０に出力し、上り処理では、伝送モード選択部４０からのデジタル音声信号を伸張したのちアナログ化してマイク／スピーカー２０へ出力する。
【００２０】
伝送モード選択部４０は、ユーザのモード選択指示入力により、伝送モードを、音声信号を伝送する音声伝送モードと、データ信号を伝送するデータ伝送モードとのうちから選択する。そして、下り処理では、選択した伝送モードの出力信号を変復調部５０へ出力する。つまり、データ伝送モードであればデータ信号を出力し、音声伝送モードであれば音声信号を出力する。上り処理では、変復調部５０からの復調信号を、選択された伝送モードに応じた方向に出力する。つまり、データ伝送モードであれば、データ機器１０に出力し、音声伝送モードであれば、音声コーデック３０へ出力する。
【００２１】
変復調部５０は、記憶部５１と、同期語付加部５２と、変調部５３と、復調部５４と、制御部５５とを備える。記憶部５１には、伝送モード毎に用意され、各伝送モードにおける出力信号のフレーム先頭を示す同期語が記憶される。そして、伝送モード選択部４０で選択された伝送モードに対応する同期語を読み出して同期語付加部５２及び復調部５４に出力する。なお、本実施形態では、データ信号の同期語を「０１１００」とし、音声信号の同期語を「０００１１」と設定する。
【００２２】
同期語付加部５２は、伝送モード選択部４０で選択された伝送モードの出力信号を受け取り、この出力信号に記憶部５１からの同期語を付加する。図３は、本実施形態に係る同期語を付加された出力信号を示す模式図である。データ信号の同期語「０１１００」は、データ信号のフレーム先頭に付加され、音声信号の同期語「０００１１」は、音声信号のフレーム先頭に付加される。
【００２３】
変調部５３は、同期語により示されるフレーム先頭を基準にして、無線通信に適した変調信号に変調し、無線通信部６０に出力する。復調部５４は、無線通信部６０からの受信信号を受け取り、その受信信号から同期語を検出して制御部５５に送る。制御部５５は検出された同期語について記憶部５１からの同期語と一致するか否かを判断する。そして、同期語が一致する場合、無線通信部６０からの受信信号を復調し、伝送モード選択部４０に出力する。同期語が一致しない場合、制御部５５は、伝送モード選択部４０にモード切替信号を送り、モードを切替制御する。
【００２４】
無線通信部６０は、下り処理では、変復調部５０における変調部５３から出力された変調信号を無線信号に変換して外部に送信する。また、上り処理では、無線信号を受信し、受信処理を行い、変復調部５０における復調部５４へ出力する。
【００２５】
上記構成において、以下、その運用について具体的に説明する。
【００２６】
今、第１及び第２の無線通信装置Ｕ１，Ｕ２間で行っている音声伝送モードの通信を第３の無線通信装置Ｕ３がモニタしているとする。ここで、Ｕ１とＵ２との間でデータ伝送に切替設定する場合、第１の無線通信装置Ｕ１側で伝送信号を音声信号からデータ信号に切り替える際に、伝送信号のフレーム先頭に付加している同期語を、音声伝送モードの同期語からデータ伝送モードの同期語に切り替える。第２の無線通信装置Ｕ２は、同期語の判別によって伝送信号がデータ伝送モードに切り替えられたことを検知して対応モードに切替設定する。このとき、第３の無線通信装置Ｕ３も同期語の切替判別によって伝送信号が音声伝送モードからデータ伝送モードに切り替わったことを検知して対応モードに切替設定する。したがって、第３の無線通信装置Ｕ３は、モニタ先の伝送モードが切り替わっても、これを自動的に検出して対応する伝送モードに切替設定することが可能となり、データ信号を音声コーデックには送出しないため、データ信号が雑音となって聞こえることがなくなる。
【００２７】
したがって、上記構成による無線通信システムによれば、伝送モード選択部４０で選択された伝送モードに対応した同期語を、同期語付加部５２で伝送モード選択部４０から出力される伝送信号のフレーム先頭に付加し、変調部５３で変調して相手先の無線通信装置に無線伝送する。相手側では、無線伝送される信号を受信すると、この受信信号を復調する際に、フレーム先頭の同期語を検出し、この同期語から伝送モードを判別して、伝送モード選択部４０のモード選択を切替制御する。これにより、伝送信号をモニタしている最中に、実際に通信を行っている第１及び第２の無線通信装置Ｕ１，Ｕ２間の伝送モードが切り替わっても、第２の装置Ｕ２と同じく第３の装置Ｕ３でも、切り替わった後の受信信号から同期語を自動的に検出してモード判別を行い、自動的にモード切替制御が行われるため、データ信号が雑音となって聞こえることがなくなる。
【００２８】
なお、この発明は上記各実施形態に限定されるものではない。例えば上記実施形態では、第１及び第２の無線通信装置Ｕ１，Ｕ２間で行われる通信を第３の無線通信装置Ｕ３でモニタしている場合について説明したが、第１及び第３の無線通信装置Ｕ１，Ｕ３間で行われる通信を第２の無線通信装置Ｕ２でモニタする場合等でも同様に運用可能である。また、例えば上記実施形態では、衛星Ｐ１を介してデータを伝送する例について説明したが、他の無線回線で音声・データ無線通信を行う場合でも同様に実施可能である。
【００２９】
また、上記実施形態では、音声コーデック３０と、伝送モード選択部４０とが変復調部５０の外部に設置されている例について説明したが、音声コーデック３０と伝送モード選択部４０とが変復調部５０の内部に設置されている場合でも同様に実施可能である。
【００３０】
さらに、この発明は、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００３１】
【図１】本発明に係る音声・データ無線通信システムの一実施形態の構成を示すブロック図。
【図２】上記実施形態の音声・データ無線通信装置の機能構成を示すブロック図。
【図３】上記第１の実施形態の出力信号を示す模式図。
【符号の説明】
【００３２】
１０…データ機器、２０…マイク／スピーカー、３０…音声コーデック、４０…伝送モード選択部、５０…変復調部、５１…記憶部、５２…同期語付加部、５３…変調部、５４…復調部、５５…制御部、６０…無線通信部、Ｕ１，Ｕ２…音声・データ通信用無線通信装置、Ｐ１…衛星。
【図１】
2009077096.tif 000003
【図２】
2009077096.tif 000004
【図３】
2009077096.tif 000005